(57)【要約】【課題】ベルトを用いてシール本体をスキー板に固定することなく、滑走面の途中に貼り付けたシール本体が滑走時に剥がれることを抑制できるスキーシールを提供すること。【解決手段】スキーシール１は、長さ寸法Ｌがスキー板２の全長Ｓよりも短く、スキーセンター部５の滑走面３に貼り付けられる。スキーシール１は、長尺状のシール本体１１と、シール本体１１の前端部分に固定されたプレート１２とを有する。シール本体１１の粘着層１８をスキー板２のスキーセンター部５の滑走面３に貼り付けると、プレート１２の平板部２５は滑走面３に沿って延びた状態となり、プレート１２においてシール本体１１から前方に突出する突出板部２６は、その前端縁１２ａが滑走面３に当接して滑走面３から離間する方向に撓んだ状態となる。これにより、プレート１２は、自己の弾性復元力Ｆによって、突出板部２６の前端縁１２ａを滑走面３に押し付ける。【選択図】図３
2019115659.tif 000002
【特許請求の範囲】
【請求項１】
スキー板の滑走面に貼り付けられるスキーシールにおいて、
前記スキー板の滑走方向の前側を前方、後側を後方としたときに、
前記後方に向かって延びる毛並みの繊維を備えるシール層および当該シール層に積層されて前記滑走面に着脱可能に貼り付けられる粘着層を備えるシール本体と、
弾性を備え、前記シール本体の前端部分において前記シール層の前記粘着層とは反対側に固定されたプレートと、を有し、
前記シール本体は、貼り付け対象の前記スキー板の前記滑走方向の全長よりも短く、
前記プレートは、前記シール本体の前端縁から前記後方に延びて当該シール本体と重なる平板部と、前記シール本体の前端縁から前記前方に突出する突出板部と、を備え、
前記突出板部は、前記前方に向かって前記粘着層の側に湾曲する湾曲板部分を備え、
前記粘着層を前記滑走面に貼り付けたときに、前記突出板部は、その前端縁が前記滑走面に当接して当該滑走面から離間する方向に撓み、前記プレートは、自己の弾性復元力によって、前記突出板部の前端縁を前記滑走面に押し付けることを特徴とするスキーシール。
【請求項２】
前記プレートと前記シール本体とを固定する接着剤層を有し、
前記滑走方向と直交する方向を幅方向としたときに、
前記平板部は、当該平板部の前端で前記シール本体の前端縁に沿って前記幅方向の一方端から他方端まで延びる前端領域と、前記前端領域の前記後方に位置して当該前端領域よりも面積の広い後側領域と、からなり、
前記前端領域は、前記シール本体に固定されておらず、
前記接着剤層は、前記後側領域に設けられていることを特徴とする請求項１に記載のスキーシール。
【請求項３】
前記プレートにおいて前記シール本体の前端縁と重なる前記平板部と前記突出板部との境界部分は、前記幅方向の幅寸法が前記シール本体の前端縁の前記幅方向の寸法以上であることを特徴とする請求項２に記載のスキーシール。
【請求項４】
前記後側領域は、前記幅方向の中央に前記平板部の後端縁から前記前方に延びる切欠き部を備えることを特徴とする請求項２に記載のスキーシール。
【請求項５】
前記後側領域の後端部分は、前記後方に向かって先細りとなっていることを特徴とする請求項２に記載のスキーシール。
【請求項６】
前記後側領域は、前記幅方向の中央に前記後方に突出する突出部分を備えることを特徴とする請求項２に記載のスキーシール。
【請求項７】
前記後側領域は、前記幅方向の中央に、開口部を備えることを特徴とする請求項２に記載のスキーシール。
【請求項８】
前記平板部は、前記幅方向の一方の端縁および他方の端縁が、前記後方に向かって互いに接近する方向に傾斜し、
前記シール本体は、前記平板部の前記幅方向の一方側および他方側に当該平板部と重ならない露出部分を備えることを特徴とする請求項２に記載のスキーシール。
【請求項９】
前記シール本体は、前記平板部の前記前端領域と重なる前端部と、前記前端部の後端から後方に向かって前記幅方向の両側に広がる広がり部と、前記広がり部の後端から後方に延びる延設部と、を備え、
前記平板部と前記シール本体との積層方向を前記平板部の側から見た場合に、前記前端部は前記平板部から露出しておらず、前記広がり部の前記幅方向の一方の端部分および他方の端部分は、前記平板部から露出していることを特徴とする請求項２に記載のスキーシール。
【請求項１０】
前記後側領域は、前記接着剤層が設けられた接着部と、前記接着剤層が設けられていない非接着部と、を備え、
前記非接着部は、前記平板部の前記幅方向の中央に位置し、
前記接着部は、前記非接着部を囲んでいることを特徴とする請求項２に記載のスキーシール。
【請求項１１】
前記後側領域は、前記接着剤層が設けられた接着部と、前記接着剤層が設けられていない非接着部と、を備え、
前記非接着部は、前記前端領域から前記平板部の前記幅方向の一方の端縁に沿って前記後方に延びる一方側非接着部と、前記前端領域から前記平板部の前記幅方向の他方の端縁に沿って前記後方に延びる他方側非接着部と、を有し、
前記接着部は、前記幅方向で前記一方側非接着部と前記他方側非接着部との間に位置することを特徴とする請求項２に記載のスキーシール。
【請求項１２】
前記後側領域は、前記接着剤層が設けられた接着部と、前記接着剤層が設けられていない非接着部と、を備え、
前記非接着部は、前記平板部の後端縁に沿って前記幅方向の一方端から他方端まで延びており、
前記シール本体は、前記平板部と当該シール本体とが積層された積層方向から見た場合に、前記非接着部と重なる位置で、前後に２分割されていることを特徴とする請求項２に記載のスキーシール。
【請求項１３】
スキー板の滑走面に貼り付けられるスキーシールにおいて、
前記スキー板の滑走方向の前側を前方、後側を後方、前記滑走方向と直交する方向を幅方向としたときに、
前記後方に向かって延びる毛並みの繊維を備えるシール層および当該シール層に積層されて前記滑走面に着脱可能に貼り付けられる粘着層を備えるシール本体と、
前記滑走面に着脱可能に貼り付けられる粘着層を備え、前記滑走面における前記シール本体の前方に貼り付けられる基布と、
弾性を備え、前記基布の前記粘着層とは反対側に固定されたプレートと、を有し、
前記シール本体は、貼り付け対象の前記スキー板の前記滑走方向の全長よりも短く、
前記プレートは、前記基布の前端縁から前記後方に延びて当該基布と重なる平板部と、前記基布の前端縁から前記前方に突出する突出板部と、当該基布の後端縁から前記後方に突出する第２の突出板部と、を備え、
前記突出板部は、前記前方に向かって前記粘着層の側に湾曲する湾曲板部分を備え、
前記シール本体および前記基布を前記滑走面に貼り付けたときに、前記第２の突出板部は、前記シール本体の前端縁を前記粘着層とは反対側から覆い、前記突出板部は、その前端縁が前記滑走面に当接して当該滑走面から離間する方向に撓み、前記プレートは、自己の弾性復元力によって、前記突出板部の前端縁を前記滑走面に押し付けることを特徴とするスキーシール。
【発明の詳細な説明】
【技術分野】
【０００１】
本発明は、スキー板の滑走面に貼り付けられるスキーシールに関する。
【背景技術】
【０００２】
雪山をスキーで登高する際にスキー板に装着する滑り止め用のアタッチメントとして、スキーシールが知られている。特許文献１に記載のスキーシールは、貼り付け対象のスキー板の全長と同等の長さ寸法を備える長尺状のシール本体と、シール本体の前端部分に取り付けられた前側係止金具と、シール本体の後端部分に取り付けられた後側係止金具と、を備える。シール本体は、スキー板の滑走方向の後方に向かって延びる毛並みの繊維を備えるシール層と、シール層に積層されて滑走面に着脱可能に貼り付けられる粘着層を備える。
【０００３】
スキーシールをスキー板に装着する際には、シール本体の粘着層をスキー板の滑走面に貼り付けるとともに、前側係止金具をスキー板のスキートップ部に係止し、後側係止金具をスキー板のスキーテール部に係止する。スキーシールがスキー板に装着された状態では、シール本体は滑走面の全面を覆う。ここで、スキーシールがスキー板に装着されると、スキー板はシール層の繊維の毛並みを逆立てる後方に滑りづらくなる。従って、スキーヤーがスキー板に体重を載せたときにスキー板の後方へのスリップが低減される。これにより、登高が楽になる。
【先行技術文献】
【特許文献】
【０００４】
【特許文献１】実用新案登録第３１１２０８６号公報
【発明の概要】
【発明が解決しようとする課題】
【０００５】
山スキーやテレマークスキーで使用するスキー板は、近年、滑走方向と直交する幅方向の寸法が広がっている。また、山スキーやテレマークスキーで使用するスキーは、スキートップ部およびスキーテール部が、その間に位置するスキーセンター部から上方に反り返る形状となっている。従って、シール本体によってスキーセンター部（スキー板の滑走面における滑走方向の途中部分）を被えば、滑走面の全面を被わなくても、スキーヤーがスキー板に体重を載せたときにスキー板の後方へのスリップを低減することが可能である。
【０００６】
しかし、シール本体によってスキー板の滑走面の途中部分を被う場合には、シール本体とスキートップ部との間が離間するので、シール本体の前端部分に、シール本体をスキートップ部に係止するための前側係止金具を設けることができなくなる。従って、滑走時に、スキーシールが前側から剥がれてしまうという問題がある。
【０００７】
ここで、シール本体の先端部分に滑走方向と直交する方向に延びるベルトを取り付け、このベルトをスキー板に巻き付けて、シール部材の先端が滑走面から剥がれないように固定することが考えられる。しかし、この場合には、ベルトがスキー板のエッジの一部分を被ってしまうので、雪山の登高に際して、スキー板が滑走方向と交差する方向に滑りやすくなるという問題が発生する。また、ベルトがエッジに接触しているので、滑走性を阻害するだけではなく、ベルトが切れやすいという問題もある。従って、ベルトを用いてスキーシールの剥がれを防止すことは望ましくない。
【０００８】
本発明の課題は、このような点に鑑みて、ベルトなどを用いてシール本体をスキー板に
固定することなく、滑走面の途中部分に貼り付けたシール本体が滑走時に剥がれることを防止あるいは抑制できるスキーシールを提供することにある。
【課題を解決するための手段】
【０００９】
上記の課題を解決するために、本発明は、スキー板の滑走面に貼り付けられるスキーシールにおいて、前記スキー板の滑走方向の前側を前方、後側を後方としたときに、前記後方に向かって延びる毛並みの繊維を備えるシール層および当該シール層に積層されて前記滑走面に着脱可能に貼り付けられる粘着層を備えるシール本体と、弾性を備え、前記シール本体の前端部分において前記シール層の前記粘着層とは反対側に固定されたプレートと、を有し、前記シール本体は、貼り付け対象の前記スキー板の前記滑走方向の全長よりも短く、前記プレートは、前記シール本体の前端縁から前記後方に延びて当該シール本体と重なる平板部と、前記シール本体の前端縁から前記前方に突出する突出板部と、を備え、前記突出板部は、前記前方に向かって前記粘着層の側に湾曲する湾曲板部分を備え、前記粘着層を前記滑走面に貼り付けたときに、前記突出板部は、その前端縁が前記滑走面に当接して当該滑走面から離間する方向に撓み、前記プレートは、自己の弾性復元力によって、前記突出板部の前端縁を前記滑走面に押し付けることを特徴とする。
【００１０】
本発明によれば、スキーシールをスキー板の滑走面に貼り付けたときに、プレートは、突出板部の前端縁を滑走面に押し付けた状態となる。ここで、プレートは弾性を備える。従って、スキーシールを装着したスキー板でスキーヤーが滑走したときに、スキーヤーの体重によってスキー板が雪面に押し付けられると、プレートの突出板部は、より、滑走面に押し付けられる。この結果、雪面の雪が、前方から、プレートと滑走面との間に入り込むことが防止あるいは抑制される。よって、スキーシールと滑走面との間に雪が入ってスキーシールがスキー板から剥がれることを防止あるいは抑制できる。また、プレートを備えることによりスキーシールが前側から剥がれることを防止あるいは抑制できるので、シール本体の長さをスキーの全長よりも短くして、シール本体をスキー板の滑走方向の途中位置に貼り付けることができる。さらに、プレートが弾性を備えるので、スキーシールを装着したスキー板でスキーヤーが滑走したときに、プレートの突出板部がスキー板と雪面との間で湾曲して、スキー板の滑走面に沿った状態となる。これにより、プレートがスキー板の滑走を妨げることが抑制される。
【００１１】
本発明において、前記プレートと前記シール本体とを固定する接着剤層を有し、前記滑走方向と直交する方向を幅方向としたときに、前記平板部は、当該平板部の前端で前記シール本体の前端縁に沿って前記幅方向の一方端から他方端まで延びる前端領域と、前記前端領域の前記後方に位置して当該前端領域よりも面積の広い後側領域と、からなり、前記前端領域は、前記シール本体に固定されておらず、前記接着剤層は、前記後側領域に設けられているものとすることができる。このようにすれば、スキーシールを装着したスキー板でスキーヤーが滑走したときに、雪面の雪がプレートの突出板部との間に浸入してプレートが滑走面から離間する方向に撓んだ場合でも、シール本体の前端縁が滑走面から剥がれることを防止或いは抑制できる。すなわち、平板部の全体が接着剤層によってシール本体に固定されている場合には、プレートが滑走面から離間する方向に撓んだときに、シール本体の前端縁がプレートとともに滑走面から離間しやすい。これに対して、平板部においてシール本体の前端縁に沿って幅方向に延びる前端領域がシール本体に固定されていなければ、プレートが滑走面から離間する方向に撓んだときに平板部の前端領域がシール本体から離間する。従って、シール本体の前端縁が滑走面に貼り付けられている状態を維持できる。よって、シール本体の全体が滑走面から剥がれることを防止或いは抑制できる。
【００１２】
本発明において、前記プレートにおいて前記シール本体の前端縁と重なる前記平板部と前記突出板部との境界部分は、前記滑走方向と直交する幅方向の幅寸法が前記シール本体の前端縁の前記幅方向の寸法以上であるものとすることができる。このようにすれば、幅
方向の全領域においてシール本体の前端縁をプレートによって被うことができるので、スキーシールがより剥がれにくくなる。
【００１３】
本発明において、前記後側領域は、前記幅方向の中央に前記平板部の後端縁から前記前方に延びる切欠き部を備えるものとすることができる。このようにすれば、平板部をシール本体に固定したときに、切欠き部からシール層を外側に露出させることができる。従って、スキーシールによる滑り止めの効果を確保しやすい。また、平板部が切欠き部を備えれば、切欠き部を備えていない場合と比較して、スキーシールをスキー板の滑走面から剥がしやすい。すなわち、スキーシールをスキー板の滑走面から剥がす場合には、スキーシールを滑走方向の後側から剥離して、滑走方向の前方に向かって滑走面から離間させる。この際に、平板部が切欠き部を備えていれば、平板部において切欠き部の幅方向の両側に位置する部分が滑走面から離間する方向に撓みやすい。従って、シール本体を滑走面から剥がすことが容易となる。さらに、平板部の幅方向の中央に切欠き部を備えれば、後側領域の幅方向の中央部分が接着剤層によってシール本体に固定されない。これにより、スキー板の滑走面がコンケーブ形状をしている場合に、スキーシールが滑走面から剥がれることを防止或いは抑制できる。すなわち、スキー板の滑走面がコンケーブ形状をしている場合には、スキーシールを滑走面に沿って貼り付けた後に、プレートの弾性復元力によって平板部が平坦な状態に戻ると、滑走面の幅方向の中央部分と平板部の幅方向の中央部分とが離間する。これにより、平板部に固定されたシール本体が平板部とともに滑走面から離間して、シール本体が滑走面から剥離しやすくなるという問題がある。これに対して、平板部の後側領域の幅方向の中央が接着剤層によってシール本体に固定されていなければ、平板部が平坦な状態に戻った場合でも、シール本体の幅方向の中央部分が平板部とともに滑走面から離間しない。従って、シール本体の滑走面への粘着を維持しやすい。よって、スキーシールが滑走面から剥がれることを防止或いは抑制できる。
【００１４】
本発明において、前記後側領域の後端部分は、前記後方に向かって先細りとなっているものとすることができる。このようにすれば、プレートをシール本体に固定したときに、後側領域の幅方向の両側において、シール層を外側に露出させることができる。従って、スキーシールによる滑り止めの効果を確保しやすい。また、このようにすれば、スキーシールをスキー板の滑走面から剥がしやすい。すなわち、スキーシールをスキー板の滑走面から剥がす場合には、スキーシールを滑走方向の後側から剥離して、滑走方向の前方に向かって滑走面から離間させる。この際に、平板部の後端部分が後方に向かって先細りとなる形状を備えていれば、平板部の後端部分が滑走面から離間する方向に撓みやすい。従って、シール本体を滑走面から剥がすことが容易となる。
【００１５】
本発明において、前記後側領域は、前記幅方向の中央に前記後方に突出する突出部分を備えるものとすることができる。このようにすれば、スキーシールをスキー板の滑走面から剥がしやすい。すなわち、スキーシールをスキー板の滑走面から剥がす場合には、スキーシールを滑走方向の後側から剥離して、滑走方向の前方に向かって滑走面から離間させる。この際に、平板部の後端部分に突出部分を備えれば、突出部分が滑走面から離間する方向に撓みやすい。従って、シール本体を滑走面から剥がすことが容易となる。
【００１６】
本発明において、前記後側領域は、前記幅方向の中央に、開口部を備えるものとすることができる。このようにすれば、平板部をシール本体に固定したときに、開口部からシール層を外側に露出させることができる。従って、スキーシールによる滑り止めの効果を確保しやすい。また、このような開口部を備えれば、後側領域の幅方向の中央部分は接着剤層によってシール本体に固定されない。従って、スキー板の滑走面がコンケーブ形状をしている場合に、スキーシールが滑走面から剥がれることを防止或いは抑制できる。すなわち、スキー板の滑走面がコンケーブ形状をしている場合には、プレートの弾性復元力によって平板部が平坦な状態に戻ると、シール本体の幅方向の中央部分が平板部とともに滑走
面から離間して、シール本体が滑走面から剥離しやすくなるという問題がある。これに対して、平板部の後側領域の幅方向の中央が接着剤層によってシール本体に固定されていなければ、平板部が平坦な状態に戻った場合でも、シール本体の幅方向の中央部分が平板部とともに滑走面から離間しない。従って、シール本体の滑走面への粘着を維持しやすい。よって、スキーシールが滑走面から剥がれることを防止或いは抑制できる。
【００１７】
本発明において、前記平板部は、前記幅方向の一方の端縁および他方の端縁が、前記後方に向かって互いに接近する方向に傾斜し、前記シール本体は、前記平板部の前記幅方向の一方側および他方側に当該平板部と重ならない露出部分を備えるものとすることができる。このようにすれば、平板部の幅方向の両側においてシール層が外側に露出する。従って、スキーシールによる滑り止めの効果を確保しやすい。また、このようにすれば、シール本体は、後側領域の幅方向の両側に、接着剤層によってプレートに固定されていない部分（露出部分）を備える。従って、スキー板の滑走面がコンベックス形状をしている場合に、スキーシールが滑走面から剥がれることを防止或いは抑制できる。すなわち、スキー板の滑走面がコンベックス形状をしている場合には、スキーシールを滑走面に沿って貼り付けた後に、プレートの弾性復元力によって平板部が平坦な状態に戻ると、滑走面の幅方向の両端部分と平板部の幅方向の両端部分とが離間する。これにより、平板部に固定されたシール本体が平板部とともに滑走面から離間して、シール本体が滑走面から剥離しやすくなるという問題がある。これに対して、シール本体が、幅方向の両端部分に接着剤層によって平板部に固定されていない部分（露出部分）を備えれば、平板部が平坦な状態に戻った場合でも、シール本体の幅方向の両端部分が平板部とともに滑走面から離間しない。従って、シール本体の滑走面への粘着を維持しやすい。よって、スキーシールが滑走面から剥がれることを防止或いは抑制できる。
【００１８】
本発明において、前記シール本体は、前記平板部の前記前端領域と重なる前端部と、前記前端部の後端から後方に向かって前記幅方向の両側に広がる広がり部と、前記広がり部の後端から後方に延びる延設部と、を備え、前記平板部と前記シール本体との積層方向を前記平板部の側から見た場合に、前記前端部は前記平板部から露出しておらず、前記広がり部の前記幅方向の一方の端部分および他方の端部分は、前記平板部から露出しているものとすることができる。このようにすれば、平板部の幅方向の両側においてシール層が外側に露出する。従って、スキーシールによる滑り止めの効果を確保しやすい。また、このようにすれば、シール本体は、後側領域の幅方向の両側に、接着剤層によってプレートに固定されていない部分（広がり部の幅方向の両端部分）を備える。従って、スキー板の滑走面がコンベックス形状をしている場合に、スキーシールが滑走面から剥がれることを防止或いは抑制できる。すなわち、スキー板の滑走面がコンベックス形状をしている場合には、プレートの弾性復元力によって平板部が平坦な状態に戻ると、平板部に固定されたシール本体の幅方向の両端部分が平板部とともに滑走面から離間して、シール本体が滑走面から剥離しやすくなるという問題がある。これに対して、シール本体が、幅方向の両端部分に接着剤層によって平板部に固定されていない部分（広がり部の幅方向の両端部分）を備えれば、平板部が平坦な状態に戻った場合でも、シール本体の幅方向の両端部分が平板部とともに滑走面から離間しない。従って、シール本体の滑走面への粘着を維持しやすい。よって、スキーシールが滑走面から剥がれることを防止或いは抑制できる。
【００１９】
本発明において、前記後側領域は、前記接着剤層が設けられた接着部と、前記接着剤層が設けられていない非接着部と、を備え、前記非接着部は、前記平板部の前記幅方向の中央に位置し、前記接着部は、前記非接着部を囲んでいるものとすることができる。このようにすれば、後側領域の幅方向の中央部分は接着剤層によってシール本体に固定されない。従って、スキー板の滑走面がコンケーブ形状をしている場合に、スキーシールが滑走面から剥がれることを防止或いは抑制できる。すなわち、スキー板の滑走面がコンケーブ形状をしている場合には、プレートの弾性復元力によって平板部が平坦な状態に戻ると、シ
ール本体の幅方向の中央部分が平板部とともに滑走面から離間して、シール本体が滑走面から剥離しやすくなるという問題がある。これに対して、平板部の後側領域の幅方向の中央が接着剤層によってシール本体に固定されていなければ、平板部が平坦な状態に戻った場合でも、シール本体の幅方向の中央部分が平板部とともに滑走面から離間しない。従って、シール本体の滑走面への粘着を維持しやすい。よって、スキーシールが滑走面から剥がれることを防止或いは抑制できる。
【００２０】
本発明において、前記後側領域は、前記接着剤層が設けられた接着部と、前記接着剤層が設けられていない非接着部と、を備え、前記非接着部は、前記前端領域から前記平板部の前記幅方向の一方の端縁に沿って前記後方に延びる一方側非接着部と、前記前端領域から前記平板部の前記幅方向の他方の端縁に沿って前記後方に延びる他方側非接着部と、を有し、前記接着部は、前記幅方向で前記一方側非接着部と前記他方側非接着部との間に位置するものとすることができる。このようにすれば、シール本体は、後側領域の幅方向の両側に、接着剤層によってプレートに固定されていない部分を備える。従って、スキー板の滑走面がコンベックス形状をしている場合に、スキーシールが滑走面から剥がれることを防止或いは抑制できる。すなわち、スキー板の滑走面がコンベックス形状をしている場合には、プレートの弾性復元力によって平板部が平坦な状態に戻ると、平板部に固定されたシール本体の幅方向の両端部分が平板部とともに滑走面から離間して、シール本体が滑走面から剥離しやすくなるという問題がある。これに対して、シール本体が、幅方向の両端部分に接着剤層によって平板部に固定されていない部分を備えれば、平板部が平坦な状態に戻った場合でも、シール本体の幅方向の両端部分が平板部とともに滑走面から離間しない。従って、シール本体の滑走面への粘着を維持しやすい。よって、スキーシールが滑走面から剥がれることを防止或いは抑制できる。
【００２１】
本発明において、前記後側領域は、前記接着剤層が設けられた接着部と、前記接着剤層が設けられていない非接着部と、を備え、前記非接着部は、前記平板部の後端縁に沿って前記幅方向の一方端から他方端まで延びており、前記シール本体は、前記平板部と当該シール本体とが積層された積層方向から見た場合に、前記非接着部と重なる位置で、前後に２分割されているものとすることができる。このようにすれば、スキーシールを、プレートを備える前側シールと、プレートを備えていない後側シールとに２分割できる。よって、スキーシールに劣化や破損が生じた場合には、前側シールおよび後側シールを別々に交換できる。また、シール本体は平板部の非接着部と重なる位置で前後に２分割されているので、スキーシールをスキー板に張り付けた状態では、後側シールの前端縁は、平板部の後端部分（非接着部）によって覆われる。従って、２分割されたスキーシールを装着したスキー板でスキーヤーが滑走した場合でも、後側シールが剥がれることを防止できる。
【００２２】
次に、本発の別の形態は、スキー板の滑走面に貼り付けられるスキーシールにおいて、前記スキー板の滑走方向の前側を前方、後側を後方、前記滑走方向と直交する方向を幅方向としたときに、前記後方に向かって延びる毛並みの繊維を備えるシール層および当該シール層に積層されて前記滑走面に着脱可能に貼り付けられる粘着層を備えるシール本体と、前記滑走面に着脱可能に貼り付けられる粘着層を備え、前記滑走面における前記シール本体の前方に貼り付けられる基布と、弾性を備え、前記基布の前記粘着層とは反対側に固定されたプレートと、を有し、前記シール本体は、貼り付け対象の前記スキー板の前記滑走方向の全長よりも短く、前記プレートは、前記基布の前端縁から前記後方に延びて当該基布と重なる平板部と、前記基布の前端縁から前記前方に突出する突出板部と、当該基布の後端縁から前記後方に突出する第２の突出板部と、を備え、前記突出板部は、前記前方に向かって前記粘着層の側に湾曲する湾曲板部分を備え、前記シール本体および前記基布を前記滑走面に貼り付けたときに、前記第２の突出板部は、前記シール本体の前端縁を前記粘着層とは反対側から覆い、前記突出板部は、その前端縁が前記滑走面に当接して当該滑走面から離間する方向に撓み、前記プレートは、自己の弾性復元力によって、前記突出
板部の前端縁を前記滑走面に押し付けることを特徴とする。
【００２３】
本発明によれば、スキーシールをスキー板の滑走面に貼り付けたときに、プレートは、突出板部の前端縁を滑走面に押し付けた状態となる。ここで、プレートは弾性を備える。従って、スキーシールを装着したスキー板でスキーヤーが滑走したときに、スキーヤーの体重によってスキー板が雪面に押し付けられると、プレートの突出板部は、より、滑走面に押し付けられる。この結果、雪面の雪が、前方から、プレートと滑走面との間に入り込むことが防止あるいは抑制される。よって、スキーシールと滑走面との間に雪が入ってスキーシールがスキー板から剥がれることを防止あるいは抑制できる。また、プレートを備えることによりスキーシールが前側から剥がれることを防止あるいは抑制できるので、シール本体の長さをスキーの全長よりも短くして、シール本体をスキー板の滑走方向の途中位置に貼り付けることができる。さらに、プレートが弾性を備えるので、スキーシールを装着したスキー板でスキーヤーが滑走したときに、プレートの突出板部がスキー板と雪面との間で湾曲して、スキー板の滑走面に沿った状態となる。これにより、プレートがスキー板の滑走を妨げることが抑制される。また、本発明によれば、スキーシールを、プレートを備える前側シールと、プレートを備えていない後側シールとに２分割できる。よって、スキーシールに劣化や破損が生じた場合には、前側シールおよび後側シールを別々に交換できる。また、スキーシールをスキー板に張り付けた状態では、前側シールのプレートによって、後側シール（シール本体）の前端縁が被われる。従って、２分割されたスキーシールを装着したスキー板でスキーヤーが滑走した場合でも、後側シール（シール本体）が剥がれることを防止できる。
【発明の効果】
【００２４】
本発明によれば、スキーシールをスキー板の滑走面に貼り付けたときに、プレートの突出板部は、その前端縁を滑走面に押し付けた状態となる。これにより、雪面の雪が、プレートと滑走面との間に入り込むことが防止あるいは抑制されるので、雪がスキーシールと滑走面との間に入ってスキーシールがスキー板から剥がれることが防止あるいは抑制される。
【図面の簡単な説明】
【００２５】
【図１】実施例１のスキーシールをスキー板に貼り付けた状態の説明図である。
【図２】スキーシールの前端部分の側面図および底面図である。
【図３】スキーシールをスキー板に張り付けた状態の側面図および底面図である。
【図４】滑走中にスキー板とプレートとの間に雪が浸入した状態の説明図である。
【図５】実施例２のスキーシールの側面図および底面図である。
【図６】実施例２の変形例のスキーシールの側面図および底面図である。
【図７】実施例３のスキーシールの側面図および底面図である。
【図８】実施例３の変形例１、２のスキーシールの説明図である。
【図９】実施例４のスキーシールの側面図および底面図である。
【図１０】実施例４の変形例のスキーシールの説明図である。
【図１１】実施例５のスキーシールの側面図および底面図である。
【図１２】実施例５のスキーシールの説明図である。
【図１３】実施例５の変形例のスキーシールの説明図である。
【図１４】実施例６のスキーシールの説明図である。
【発明を実施するための形態】
【００２６】
以下に、図面を参照して、本発明の実施の形態であるスキーシールを説明する。
【００２７】
（全体構成）
図１は本発明を適用したスキーシールをスキー板の滑走面に貼り付けた状態の説明図で
ある。図１（ａ）はスキーシールを装着したスキー板の側面図であり、図１（ｂ）はスキーシールを装着したスキー板を滑走面の側から見た底面図である。本例のスキーシール１は、雪山をスキーで登高する際にスキー板２の滑走面３に貼り付けられて使用される。
【００２８】
図１に示すように、スキーシール１の貼り付け対象となるスキー板２は、スキーヤーのブーツを保持するためのビンディング４が固定されるスキーセンター部５と、スキーセンター部５の滑走方向Ｄの前側で前方に向かって上方に反り返るスキートップ部６と、スキーセンター部５の滑走方向Ｄの後側で後方に向かって上方に反り返るスキーテール部７と、を備える。スキー板２の滑走面３の幅方向の両端にはエッジ８が設けられている。スキーセンター部５は、前後方向の中央の幅が、スキートップ部６と連続する前端部分の幅およびスキーテール部７と連続する後端部分の幅よりも狭いサイドカット形状を備える。なお、スキーセンター部５は、前後方向の中央が、その前端部分および後端部分よりも上方に湾曲するアーチ形状を備える場合もある。
【００２９】
スキー板２の滑走面３は、フラット形状、コンケーブ形状、或いは、コンベックス形状をしている。フラット形状の滑走面３は、平坦である。コンケーブ形状の滑走面は、スキー板２を滑走方向Ｄと直交する幅方向に切断した断面を見た場合に、幅方向の中央が窪む凹形状である。コンベックス形状の滑走面３は、スキー板２を滑走方向Ｄと直交する幅方向に切断した断面を見た場合に、幅方向の中央が突出する凸形状である。
【００３０】
スキーシール１は、スキーセンター部５の滑走面３（スキー板２の途中部分）に貼り付けられる。図１（ｂ）に示すように、スキーシール１はその長さ寸法Ｌがスキー板２の全長Ｓよりも短い。スキーシール１は、長尺状のシール本体１１と、シール本体１１の前端部分に固定されたプレート１２と、を有する。スキー板２に張り付けられた状態をスキー板２の厚み方向から見た場合に、シール本体１１はビンディング４と重なる位置にある。プレート１２はビンディング４よりも滑走方向Ｄの前方に位置する。また、スキー板２に張り付けられた状態をスキー板２の厚み方向のビンディング４の側から見た場合に、スキーシール１はスキー板２に隠れている。
【００３１】
（シール本体）
図２（ａ）は、スキーシール１の前端部分の側面図であり、図２（ｂ）はスキーシール１の前端部分をシール層の側から見た場合の底面図である。以下の説明では、水平に配置されたスキー板２にスキーシール１を張り付けた場合の姿勢を基準の姿勢として、スキーシール１を説明する。また、スキーシール１がスキー板２に張り付けられる際のスキー板２の滑走方向Ｄに沿った方向をスキーシール１の前後方向Ｘとし、滑走方向Ｄの前方をスキーシール１の前方Ｘ１、滑走方向Ｄの後方をスキーシール１の後方Ｘ２とする。スキー板２の滑走方向Ｄと直交する幅方向を、スキーシール１の幅方向Ｙとし、幅方向Ｙの一方を第１方向Ｙ１、他方を第２方向Ｙ２とする。また、前後方向Ｘおよび幅方向Ｙと直交する方向をスキーシール１の上下方向Ｚとし、スキーシール１においてスキー板２に貼り付けられる側を上方Ｚ１、その反対側を下方Ｚ２とする。
【００３２】
図２（ａ）に示すように、シール本体１１は、長尺状の芯材１５、および、芯材１５から後方Ｘ２に向かって下方Ｚ２に延びる毛並みの繊維１６、を備えるシール層１７と、シール層１７の上方Ｚ１に積層された粘着層１８と、を備える。シール層１７の毛並みを形成する繊維１６は、モヘア、ナイロン、モヘアとナイロンの混紡、アザラシの毛、などである。複数の繊維１６のそれぞれは、上端が芯材１５に固定されている。
【００３３】
粘着層１８はシール層１７の上方Ｚ１に積層されている。粘着層１８は、グルー（糊）等の接着剤からなるもの、シリコン樹脂からなるもの、多数の吸盤からなるもの、などがある。本例では、粘着層１８は、グルーからなり、シール層１７の芯材１５に塗布されて
、積層されている。
【００３４】
シール本体１１を上下方向Ｚから見た場合の平面形状は芯材１５の平面形状に対応する。本例では、シール本体１１の平面形状は長方形（矩形長尺状）である。従って、図１（ｂ）に示すように、シール本体１１の前端縁１９および後端縁２０は幅方向Ｙに延びる。
【００３５】
シール本体１１の長さ寸法Ｌは、スキー板２の全長Ｓの１／３以上であり、かつ、２／３以下である。本例では、スキー体の全長Ｓが１６００ｃｍであり、シール本体１１の長さ寸法Ｌは９００ｍｍである。一方、シール本体１１の幅方向Ｙの寸法Ｍは、スキーセンター部５の最も幅の狭い部分の幅寸法Ｔと一致する。本例では、シール本体１１の幅方向Ｙの寸法Ｍは７４ｍｍである。
【００３６】
ここで、シール本体１１の前後方向Ｘ（滑走方向Ｄ）の長さ寸法Ｌをスキー板２の全長Ｓの２／３以下とすれば、スキー板２の全長Ｓに対してシール本体１１を短くできるので、スキーシール１を携帯することが容易となる。また、シール本体１１を短くできるので、スキーシール１の製造コストを抑制できる。この一方で、シール本体１１の長さ寸法Ｌをスキー板２の全長Ｓの１／３以上とすれば、スキーシール１によるスベリ止めの効果を確保できる。ここで、本例のように、シール本体１１の長さ寸法Ｌをスキー板２の全長Ｓの１／２以上とすれば、スキーシール１によるスベリ止めの効果を確実に得ることができる。
【００３７】
（プレート）
プレート１２は弾性を備える金属製の板部材である。本例では、プレート１２はステンレスバネ鋼製である。また、本例では、プレート１２の表面に樹脂コーティング層を備える。ここで、プレート１２はガルバリウム鋼板（登録商標）製としてもよい。樹脂コーティング層は、例えば、ポリエステル樹脂や塩化ビニル樹脂からなる。
【００３８】
図２（ａ）に示すように、プレート１２は、シール本体１１の前端部分のシール層１７の側に固定されている。プレート１２は、シール本体１１の前端縁１９から後方Ｘ２に延びてシール本体１１に固定された平板部２５と、シール本体１１の前端縁１９から前方Ｘ１に突出する突出板部２６とを備える。
【００３９】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って幅方向Ｙの一方端（第１方向Ｙ１の端）から他方端（第２方向Ｙ２の端）まで延びる。本例では、前端領域２５ａは一定幅で幅方向Ｙに延びる。後側領域２５ｂは、平板部２５における前端領域２５ａの後側である。後側領域２５ｂは、プレート１２とシール本体１１とを固定する接着剤層２９を備える。ここで、前端領域２５ａは接着剤層２９を備えていない領域である。従って、前端領域２５ａは、シール本体１１に固定されていない。
【００４０】
本例では、平板部２５の前後方向Ｘの長さ寸法Ｒは５５ｍｍである。前端領域２５ａの前後方向Ｘの寸法は８ｍｍである。従って、後側領域２５ｂの前後方向Ｘの寸法は４７ｍｍである。本例では、前端領域２５ａは、平板部２５の前後方向Ｘの長さ寸法Ｒの１／４以下としている。接着剤層２９は、後側領域２５ｂの全面に設けられている。
【００４１】
突出板部２６は、平板部２５と同一の平面上を前方Ｘ１に延びる平板部分２７と、平板部分２７の前端縁から上側（粘着層１８の側）に湾曲する湾曲板部分２８と、を備える。図２（ｂ）に示すように、突出板部２６の前端縁１２ａ（プレート１２の前端縁１２ａ）
は、幅方向Ｙに延びる。
【００４２】
図２（ａ）に示すように、スキーシール１をスキー板２に装着していない状態では、突出板部２６の前端縁１２ａは、シール本体１１の上面よりも、上方Ｚ１に位置する。換言すれば、突出板部２６は、シール本体１１のシール層１７の側から前方Ｘ１に向かって粘着層１８の側に湾曲して、その前端縁１２ａが、粘着層１８のシール層１７とは反対側に達している。
【００４３】
ここで、図２（ｂ）に示すように、プレート１２の幅方向の寸法Ｎは、シール本体１１の前端縁１９の幅方向Ｙの寸法Ｍと同一である。従って、プレート１２においてシール本体１１の前端縁１９と重なる平板部２５と突出板部２６との境界部分の幅方向Ｙの寸法Ｎは、シール本体１１の前端縁１９の幅方向Ｙの寸法Ｍと一致している。これにより、プレート１２は、幅方向Ｙの全領域においてシール本体１１の前端縁１９を被う。本例では、プレート１２の幅方向の寸法Ｎは７４ｍｍである。なお、プレート１２の幅方向Ｙの寸法Ｎは、スキー板２に装着したときにスキー板２のエッジ８よりも幅方向Ｙの外側に突出しなければ、シール本体１１の前端縁１９の幅方向Ｙの寸法よりも長くてもよい。
【００４４】
次に、平板部２５は、シール本体１１の前端縁１９に沿って一定幅で幅方向Ｙに延びる前側板部分３０と、前側板部分３０の後端縁からシール本体１１の第１方向Ｙ１の端縁に沿って後方Ｘ２に延びる第１延設板部分３１と、前側板部分３０の後端縁からシール本体１１の幅方向Ｙの第２方向Ｙ２の端縁に沿って後方Ｘ２に延びる第２延設板部分３２と、を備える。換言すれば、平板部２５には、後端縁の幅方向Ｙの中央に、前方Ｘ１に延びる切欠き部３３が設けられており、切欠き部３３の幅方向Ｙの両側に第１延設板部分３１と第２延設板部分３２とを備える。
【００４５】
ここで、切欠き部３３は、後方Ｘ２に向かって幅方向Ｙに広がっている。従って、第１延設板部分３１および第２延設板部分３２は、それぞれが後方Ｘ２に向かって幅方向Ｙの寸法が短くなる先細りの形状を備える。また、第１延設板部分３１の後端縁、および、第２延設板部分３２の後端縁は、それぞれの幅方向Ｙの中央が後方Ｘ２に突出する円弧形状の輪郭を備える。
【００４６】
第１延設板部分３１および第２延設板部分３２の前後方向Ｘの寸法は、前側板部分３０の前後方向Ｘの寸法の２倍以上である。本例では、前側板部分３０の前後方向Ｘの寸法は１５ｍｍであり、第１延設板部分３１および第２延設板部分３２の前後方向Ｘの寸法は４０ｍｍである。前端領域２５ａは前側板部分３０の前側部分である。
【００４７】
突出板部２６の平板部分２７は、シール本体１１の前端縁１９に沿って一定幅で幅方向Ｙに延びる。平板部分２７の前後方向Ｘの長さ寸法Ｏは５ｍｍである。湾曲板部分２８は、平板部分２７の前端縁１９から前方Ｘ１に向かって、上方Ｚ１に湾曲する。
【００４８】
突出板部２６の前後方向Ｘの長さ寸法Ｑは、シール本体１１の前端縁１９の幅方向Ｙの寸法Ｍの２／３以下である。また、突出板部２６の前後方向Ｘの長さ寸法Ｑは、平板部２５の前後方向Ｘの長さ寸法Ｒよりも短い。突出板部２６の前後方向Ｘの長さ寸法Ｑとは、湾曲板部分２８が湾曲している状態を上下方向Ｚから見た場合の寸法である。本例では、突出板部２６の前後方向Ｘの長さ寸法Ｑは３５ｍｍである。従って、湾曲板部分２８の前後方向Ｘの寸法Ｐは３０ｍｍである。
【００４９】
（スキーシールの装着状態）
図３は、スキーシール１をスキー板２に装着した状態の説明図である。図３（ａ）は、スキーシール１の前端部分の側面図であり、図３（ｂ）はスキーシール１の前端部分の底
面図である。図４は、スキーシール１を装着したスキー板２で滑走しているときに、プレート１２と滑走面３との間に前方Ｘ１から雪が浸入した状態の説明図である。
【００５０】
スキーシール１をスキー板２に装着する際には、シール本体１１の粘着層１８をスキー板２のスキーセンター部５の滑走面３に貼り付ける。シール本体１１を滑走面３に貼り付けると、プレート１２の平板部２５は、滑走面３に沿って延びた状態となる。また、プレート１２の突出板部２６は、その前端縁１２ａが滑走面３に当接して滑走面３から離間する方向に撓んだ状態となる。そして、プレート１２は、自己の弾性復元力Ｆによって、突出板部２６の前端縁１２ａを滑走面３に押し付ける。
【００５１】
ここで、プレート１２は弾性を備える。従って、スキーシール１を装着したスキー板２でスキーヤーが滑走すれば、スキーヤーの体重Ｗによってスキー板２が雪面に押し付けられる。これにより、プレート１２の突出板部２６は、より、滑走面３に押し付けられる。この結果、雪面の雪が、前方Ｘ１から、プレート１２と滑走面３との間に入り込むことが防止あるいは抑制される。よって、スキーシール１と滑走面３との間に雪が入ってスキーシール１がスキー板２から剥がれることを防止あるいは抑制できる。
【００５２】
また、プレート１２が弾性を備えるので、スキーシール１を装着したスキー板２でスキーヤーが滑走したときに、プレート１２の突出板部２６がスキー板２と雪面との間で湾曲して、スキー板２の滑走面３に沿った状態となる。これにより、プレート１２がスキー板２の滑走を妨げることが抑制される。
【００５３】
さらに、スキーシール１は、プレート１２が、スキー板２のエッジ８を下方Ｚ２から被うことがないので、滑走、登高において、スキーヤーのエッジ８のコントロールを阻害することがない。
【００５４】
また、本例では、プレート１２の平板部２５が切欠き部３３を備えるので、平板部２５をシール本体１１に固定したときに切欠き部３３からシール層１７を外側に露出させることができる。従って、スキーシール１による滑り止めの効果を確保しやすい。
【００５５】
ここで、本例では、プレート１２の平板部２５は、その前端領域２５ａが接着剤層２９によってシール本体１１に固定されておらず、後側領域２５ｂのみが接着剤層２９によってシール本体１１に固定されている。従って、図４に示すように、雪面の雪Ｓがプレート１２の突出板部２６との間に浸入してしまい、プレート１２が滑走面３から離間する方向に撓んだ場合でも、滑走面３に貼り付けられているシール本体１１の前端縁１９が滑走面３から剥がれることを防止或いは抑制できる。
【００５６】
すなわち、平板部２５の全体がシール本体１１に固定されている場合には、プレート１２が滑走面３から離間する方向に撓んだときに、シール本体１１の前端縁１９がプレート１２とともに滑走面３から離間しやすいという問題がある。これに対して、本例のように、平板部２５においてシール本体１１の前端縁１９に沿って幅方向Ｙに延びる前端領域２５ａがシール本体１１に固定されていなければ、プレート１２が滑走面３から離間する方向に撓んだときに、平板部２５の前端領域２５ａがシール本体１１から離間する。この結果、図４に示すように、平板部２５の前端領域２５ａとシール本体１１の前端縁１９との間に隙間１０が形成される。これにより、シール本体１１の前端縁１９が滑走面３に貼り付けられている状態を維持できるので、シール本体１１の全体が滑走面３から剥がれることを防止或いは抑制できる。
【００５７】
ここで、本例では、切欠き部３３は、後方Ｘ２に向かって幅方向Ｙに広がっている。これにより、第１延設板部分３１および第２延設板部分３２は、後方Ｘ２に向かって幅方向
Ｙの寸法が短くなる先細りの形状を備える。従って、スキーシール１をスキー板２の滑走面３から剥がし易い。
【００５８】
すなわち、スキーシール１をスキー板２の滑走面３から剥がす場合には、スキーシール１を後端側から剥離して、前方Ｘ１に向かってスキー板２（滑走面３）から離間させる。ここで、平板部２５において切欠き部３３の両側に位置する第１延設板部分３１および第２延設板部分３２は、それぞれの幅が平板部２５の幅と比較して狭い。また、第１延設板部分３１および第２延設板部分３２は、それぞれ後方Ｘ２に向かって先細りとなっている。従って、スキーシール１をスキー板２から離間させたときに、第１延設板部分３１および第２延設板部分３２が滑走面３から離間する方向に撓みやすい。よって、シール本体１１において第１延設板部分３１および第２延設板部分３２が固定されている部分を、滑走面３から剥がすことが容易である。また、第１延設板部分３１および第２延設板部分３２は、前方Ｘ１に向かって幅方向Ｙ拡がって前側板部分３０に連続している。従って、第１延設板部分３１および第２延設板部分３２が撓んだとしても、それらの前側部分（前側板部分３０と第１延設板部分３１および第２延設板部分３２との境界部分）が塑性変形してしまうことがない。よって、シール本体１１において平板部２５が固定されている部分の全体を、スキー板２から剥がすことができる。
【００５９】
また、後側領域２５ｂの幅方向Ｙの中央に切欠き部３３を備えれば、後側領域２５ｂの幅方向Ｙの中央は、接着剤層２９によってシール本体１１に固定されない。従って、スキー板２の滑走面３がコンケーブ形状をしている場合に、スキーシール１が滑走面３から剥がれることを防止或いは抑制できる。
【００６０】
すなわち、スキー板２を幅方向Ｙに切断した断面を見たときに滑走面３が凹形状をしている場合には、スキーシール１を滑走面３に貼り付けた後にプレート１２の弾性復元力によって平板部２５が平坦な状態に戻ると、平板部２５の幅方向Ｙの中央部分と滑走面３の幅方向Ｙの中央部分とが離間する。これにより、平板部２５に固定されたシール本体１１が平板部２５とともに滑走面３から離間して、シール本体１１が滑走面３から剥離しやすくなるという問題がある。具体的には、スキーヤーがリフトに乗っている状態など、スキー板２に荷重がかからない時には、プレート１２は弾性復元力によって平坦な状態に戻ろうとする。従って、平板部２５の幅方向Ｙの中央部分と滑走面３の幅方向の中央部分とが離間する。このような問題に対して、本例では、平板部２５の後側領域２５ｂの幅方向Ｙの中央部分が接着剤層２９によってシール本体１１に固定されていない。従って、平板部２５が平坦な状態に戻った場合でも、シール本体１１の幅方向Ｙの中央部分が平板部２５とともに滑走面３から離間しない。よって、シール本体１１の滑走面３への粘着を維持しやすい。
【００６１】
さらに、プレート１２の突出板部２６の前後方向Ｘ（滑走方向Ｄ）の寸法Ｑは、シール本体１１の前端縁１９の幅方向Ｙの寸法Ｍの２／３以下である。これにより、突出板部２６が長くなり過ぎないので、シール本体１１を滑走面３に貼り付けて突出板部２６が滑走面３から離間する方向に撓んだときに、突出板部２６の前端縁１２ａを滑走面３に押し付ける力（プレート１２の弾性復元力Ｆ）を確保することができる。
【００６２】
また、本例では、スキーシール１がプレート１２を備えることにより、スキーシール１が前側から剥がれることを防止あるいは抑制できるので、シール本体１１の長さ寸法Ｌをスキーの全長Ｓよりも短くして、シール本体１１をスキー板２の滑走方向Ｄの途中位置（スキーセンター部５）に貼り付けて使用することができる。
【００６３】
さらに、本例では、プレート１２が金属製なので、弾性変形するプレート１２が破損することを防止できる。また、本例では、プレート１２がステンレスバネ鋼製なので、その
加工が容易であるとともに、プレート１２が錆びることを抑制できる。
【００６４】
また、プレート１２は、金属製の基材の表面に樹脂コーティング層を備えるものなので、基材が錆びることを防止できる。また、樹脂コーティング層により、プレート１２が滑りやすくなるので、プレート１２がスキー板２の滑走を妨げることを抑制できる。さらに、樹脂コーティング層を備えれば、雪や氷がプレート１２に付着した状態で固まってしまうことを抑制できる。
【００６５】
ここで、スキーシール１では、シール本体１１の後端縁２０をスキー板２に固定するための係止金具を備えていないが、このような係止金具が無くても、スキーシール１がスキー板２から剥がれることはなく、実用に耐える。
【００６６】
（実施例２）
図５（ａ）は、実施例２のスキーシールの前端部分の側面図であり、図５（ｂ）は実施例２のスキーシールの前端部分をシール層の側から見た場合の底面図である。本例のスキーシール１Ａは、プレート１２の形状が実施例１のスキーシール１と相違する。また、スキーシール１Ａはプレート１２とシール本体１１とを固定する２本のリベット３５を有する。なお、本例のスキーシール１Ａの他の構成はスキーシール１と同様である。従って、対応する構成には同一の符号を付してその説明を省略する。
【００６７】
プレート１２は弾性を備える金属製の板部材である。図５（ａ）に示すように、プレート１２は、シール本体１１の前端部分のシール層１７の側に、固定されている。プレート１２は、シール本体１１の前端縁１９から後方Ｘ２に延びてシール本体１１に固定された平板部２５と、シール本体１１の前端縁１９から前方Ｘ１に突出する突出板部２６とを備える。本例では、シール本体１１の幅方向Ｙの寸法Ｍは１００ｍｍである。プレート１２の幅方向Ｙの寸法Ｎはシール本体１１の幅方向Ｙの寸法Ｍと同一の１００ｍｍである。突出板部２６の前後方向Ｘの長さ寸法Ｑは１０ｍｍであり、シール本体１１の前端縁１９の幅方向Ｙの寸法Ｍの２／３以下である。突出板部２６は、その全体が、平板部２５の前端から上側（粘着層１８の側）に湾曲する。言い換えれば、突出板部２６は平板部分２７を備えておらず、その全体が湾曲板部分２８である。突出板部２６の前端の幅方向Ｙの両端部分にはアールが施されている。すなわち、突出板部２６の前端の幅方向Ｙの両端の角部には、面取りが施されている。
【００６８】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って幅方向Ｙの一方端（第１方向Ｙ１の端）から他方端（第２方向Ｙ２の端）まで延びる。本例では、前端領域２５ａは一定幅で幅方向Ｙに延びる。後側領域２５ｂは、平板部２５における前端領域２５ａに後側である。後側領域２５ｂは、プレート１２とシール本体１１とを固定する接着剤層２９を備える。接着剤層２９は、後側領域２５ｂにおけるシール本体１１の側の全面に設けられている。ここで、前端領域２５ａは接着剤層２９を備えていない。従って、前端領域２５ａは、シール本体１１に固定されていない。
【００６９】
本例では、平板部２５の前後方向Ｘの長さ寸法Ｒは６５ｍｍである。前端領域２５ａの前後方向Ｘの寸法は１０ｍｍである。従って、後側領域２５ｂの前後方向Ｘの寸法は５５ｍｍである。前端領域２５ａは、平板部２５の前後方向Ｘの長さ寸法Ｒの１／４以下である。
【００７０】
平板部２５は、シール本体１１の前端縁１９に沿って一定幅で幅方向Ｙに延びる前側板
部分３０と、前側板部分３０の後端縁からシール本体１１の第１方向Ｙ１の端縁に沿って後方Ｘ２に延びる第１延設板部分３１と、前側板部分３０の後端縁からシール本体１１の幅方向Ｙの第２方向Ｙ２の端縁に沿って後方Ｘ２に延びる第２延設板部分３２と、を備える。換言すれば、平板部２５の後端縁には、幅方向Ｙの中央に、前方Ｘ１に延びる切欠き部３３が設けられている。前端領域２５ａは、前側板部分３０の前端の一定幅の領域であり、接着剤層２９が設けられていない領域である。前側板部分３０の後側部分並びに第１延設板部分３１および第２延設板部分３２は、後側領域２５ｂである。
【００７１】
リベット３５は、第１延設板部分３１の後端部分および第２延設板部分３２の後端部分に設けられている。リベット３５は、接着剤層２９とともに、プレート１２とシール本体１１とを固定する。
【００７２】
本例のスキーシール１Ａにおいても、スキーシール１と同様の作用効果を得ることができる。また、本例のスキーシール１Ａは、突出板部２６の前後方向Ｘの長さ寸法Ｑが、上記スキーシール１と比較して短い。従って、プレート１２を小さくできる。
【００７３】
さらに、本例では、リベット３５を用いてプレート１２とシール本体１１とを固定するので、プレート１２がシール本体１１から離間することがない。また、リベット３５は、第１延設板部分３１の後端部分および第２延設板部分３２の後端部分に設けられている。ここで、第１延設板部分３１の後端部分および第２延設板部分３２の後端部分は、スキーシール１Ｃをスキー板２から剥がす際に負荷がかかる部分なので、このような位置にリベット３５を設ければ、プレート１２がシール本体１１から剥離することを確実に防止できる。また、リベット３５は平板部２５の後端部分に設けられる。従って、スキーシール１Ｃの滑走面３への粘着をリベット３５が妨げたとしても、滑走時にスキーシール1Ｃが前側から剥がれることはない。
【００７４】
（実施例２の変形例）
図６（ａ）は、実施例２の変形例のスキーシールの前端部分の側面図であり、図６（ｂ）は実施例２の変形例のスキーシールの前端部分をシール層の側から見た場合の底面図である。本例のスキーシール１Ｂは、後側領域２５ｂに設けた接着剤層２９の平面形状が実施例２のスキーシール１Ａと相違する。すなわち、本例では、後側領域２５ｂは、接着剤層２９が設けられた接着部４０と、接着剤層２９が設けられていない非接着部４１と、を備える。なお、本例のスキーシール１Ｂは、接着剤層２９を除く他の構成はスキーシール１Ａと同一である。従って、スキーシール１Ａと対応する構成には同一の符号を付して、その説明を省略する。
【００７５】
後側領域２５ｂは、非接着部４１として、前端領域２５ａから平板部２５の第１方向Ｙ１の端縁に沿って後方に延びる一方側非接着部４２と、前端領域２５ａから平板部２５の第２方向Ｙ２の端縁に沿って後方Ｘ２に延びる他方側非接着部４３と、を有する。接着部４０は、幅方向Ｙで一方側非接着部４２と他方側非接着部４３との間に位置する。従って、本例では、プレート１２の幅方向Ｙの両端縁はシール本体１１に固定されていない。２つのリベット３５のうちの第１方向Ｙ１のリベット３５は、第１延設板部分３１の後端部分における一方側非接着部４２と接着部４０との境界に設けられている。第２方向Ｙ２のリベット３５は、他方側非接着部４３と接着部４０との境界に設けられている。
【００７６】
本例によれば、スキー板２の滑走面３がコンベックス形状をしている場合に、スキーシール１Ｂが滑走面３から剥がれることを防止或いは抑制できる。すなわち、スキー板２を幅方向Ｙに切断した断面を見たときに滑走面３が凸形状をしている場合には、スキーシール１を滑走面３に貼り付けた後にプレート１２の弾性復元力によって平板部２５が平坦な状態に戻ると、平板部２５の幅方向Ｙの両端部分と滑走面３の幅方向Ｙの両端部分とが離
間する。これにより、平板部２５に固定されたシール本体１１が平板部２５とともに滑走面３から離間して、シール本体１１が滑走面３から剥離しやすくなるという問題がある。具体的には、スキーヤーがリフトに乗っている状態など、スキー板２に荷重がかからない時には、プレート１２は弾性復元力によって平坦な状態に戻ろうとする。従って、平板部２５の幅方向Ｙの両端部分と滑走面３の幅方向の両端部分とが離間する。
【００７７】
このような問題に対して、本例では、平板部２５の後側領域２５ｂの幅方向Ｙの両端部分（一方側非接着部４２および他方側非接着部４３）が接着剤層２９によってシール本体１１に固定されていない。従って、平板部２５が平坦な状態に戻った場合でも、シール本体１１の幅方向Ｙの両端部分が平板部２５とともに滑走面３から離間しない。よって、シール本体１１の滑走面３への粘着を維持しやすい。
【００７８】
（実施例３）
図７（ａ）は、実施例３の変形例のスキーシールの前端部分の側面図であり、図７（ｂ）は実施例３の変形例のスキーシールの前端部分をシール層の側から見た場合の底面図である。本例のスキーシール１Ｃは、プレート１２の形状が実施例１のスキーシール１と相違する。なお、本例のスキーシール１Ｃはスキーシール１と対向する構成を備える。従って、対応する構成には同一の符号を付してその説明を省略する。
【００７９】
プレート１２は弾性を備える金属製の板部材である。図７（ａ）に示すように、プレート１２は、シール本体１１の前端部分のシール層１７の側に、固定されている。プレート１２は、シール本体１１の前端縁１９から後方Ｘ２に延びてシール本体１１に固定された平板部２５と、シール本体１１の前端縁１９から前方Ｘ１に突出する突出板部２６とを備える。本例では、シール本体１１の幅方向Ｙの寸法Ｍは１００ｍｍである。プレート１２の幅方向Ｙの寸法Ｎはシール本体１１の幅方向Ｙの寸法Ｍと同一の１００ｍｍである。突出板部２６の前後方向Ｘの長さ寸法Ｑは１０ｍｍであり、シール本体１１の前端縁１９の幅方向Ｙの寸法Ｍの２／３以下である。突出板部２６は、その全体が、平板部２５の前端縁から上側（粘着層１８の側）に湾曲する。言い換えれば、突出板部２６は平板部分２７を備えておらず、その全体が湾曲板部分２８である。突出板部２６の前端の幅方向Ｙの両端部分にはアールが施されている。すなわち、突出板部２６の前端の幅方向Ｙの両端の角部は面取りが施されている。
【００８０】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って第１方向Ｙ１の端から第２方向Ｙ２の端まで延びる。前端縁１９は幅方向Ｙに一定幅で設けられている。後側領域２５ｂは、プレート１２とシール本体１１とを固定する接着剤層２９を備える。ここで、前端領域２５ａは接着剤層２９を備えておらず、前端領域２５ａはシール本体１１に固定されていない。
【００８１】
本例では、平板部２５の前後方向Ｘの長さ寸法Ｒは６５ｍｍである。前端領域２５ａの前後方向Ｘの寸法は１０ｍｍである。従って、後側領域２５ｂの前後方向Ｘの寸法は５５ｍｍである。前端領域２５ａは、平板部２５の前後方向Ｘの長さ寸法Ｒの１／４以下である。
【００８２】
平板部２５は、シール本体１１の前端縁１９に沿って一定幅で幅方向Ｙに延びる前側板部分３０と、前側板部分３０の後方Ｘ２に連続して、後方Ｘ２に向かって先細りとなる三角形形状の先細り部分３４と、を備える。前端領域２５ａは、前側板部分３０の前端の一定幅の領域であり、接着剤層２９が設けられていない領域である。後側領域２５ｂは、平板部２５における前端領域２５ａの後側の全領域である。後側領域２５ｂには接着剤層２
９が設けられている。後側領域２５ｂの後端部分は、後方Ｘ２に向かって先細りとなっている。リベット３５は、先細り部分３４の後端部分に１つ設けられている。リベット３５は、接着剤層２９とともに、プレート１２とシール本体１１とを固定する。
【００８３】
ここで、後側領域２５ｂは、接着剤層２９が設けられた接着部４０と、接着剤層２９が設けられていない第１非接着部４５および第２非接着部４６を備える。第１非接着部４５は、平板部２５の幅方向Ｙの中央に位置する。第１非接着部４５の平面形状は全体として、先細り部分３４の形状に対応する三角形形状をしている。接着部４０は、第１非接着部４５を囲んでいる。第２非接着部４６は、前端領域２５ａから平板部２５の第１方向Ｙ１の端縁に沿って後方Ｘ２に延びる一方側非接着部４２と、前端領域２５ａから平板部２５の第２方向Ｙ２の端縁に沿って後方Ｘ２に延びる他方側非接着部４３と、を備える。接着部４０は、幅方向Ｙで一方側非接着部４２と他方側非接着部４３との間に位置する。
【００８４】
本例においても、スキーシール１Ｃをスキー板２に装着すると、プレート１２は、自己の弾性復元力Ｆによって、突出板部２６の前端縁１２ａを滑走面３に押し付ける。従って、スキーシール１Ｃと滑走面３との間に雪が入ってスキーシール１Ｃがスキー板２から剥がれることを防止あるいは抑制できる。また、プレート１２が弾性を備えるので、スキーシール１Ｃを装着したスキー板２でスキーヤーが滑走したときに、プレート１２の突出板部２６がスキー板２と雪面との間で湾曲して、スキー板２の滑走面３に沿った状態となる。これにより、プレート１２がスキー板２の滑走を妨げることが抑制される。さらに、スキーシール１Ｃは、プレート１２が、スキー板２のエッジ８を下方Ｚ２から被うことがないので、滑走、登高において、スキーヤーのエッジ８のコントロールを阻害することがない。
【００８５】
また、プレート１２の平板部２５は、その前端領域２５ａが接着剤層２９によってシール本体１１に固定されておらず、後側領域２５ｂのみが接着剤層２９によってシール本体１１に固定されている。従って、雪面の雪Ｓがプレート１２の突出板部２６との間に浸入してしまい、プレート１２が滑走面３から離間する方向に撓んだ場合でも、滑走面３に貼り付けられているシール本体１１の前端縁１９が滑走面３から剥がれることを防止或いは抑制できる。
【００８６】
さらに、本例では、後側領域２５ｂの後端部分は、後方Ｘ２に向かって先細りとなっている。従って、プレート１２をシール本体１１に固定したときに、後側領域２５ｂの幅方向Ｙの両側において、シール層１７を外側に露出させることができる。よって、スキーシール１Ｃによる滑り止めの効果を確保しやすい。
【００８７】
また、本例では、後側領域２５ｂの後端部分は、後方Ｘ２に向かって先細りとなっている。従って、スキーシール１Ｃをスキー板２から剥がすことが容易である。すなわち、スキーシール１Ｃをスキー板２の滑走面３から剥がす場合には、スキーシール１Ｃを後方Ｘ２から剥離して、前方Ｘ１向かって滑走面３から離間させる。この際に、平板部２５の後端部分が後方Ｘ２に向かって先細りとなる形状を備えていれば、先細り部分３４が滑走面３から離間する方向に撓みやすい。従って、シール本体１１を滑走面３から剥がすことが容易となる。
【００８８】
さらに、本例では、後側領域２５ｂに設けられた第１非接着部４５は、平板部２５の幅方向Ｙの中央に位置する。そして、接着部４０は、非接着部４１を囲んで設けられている。従って、スキー板２の滑走面３がコンケーブ形状をしている場合に、スキーシール１Ｃが滑走面３から剥がれることを防止或いは抑制できる。すなわち、スキー板２の滑走面３がコンケーブ形状をしている場合には、プレート１２の弾性復元力によって平板部２５が平坦な状態に戻ると、シール本体１１の幅方向Ｙの中央部分が平板部２５とともに滑走面
３から離間して、シール本体１１が滑走面３から剥離しやすくなるという問題がある。これに対して、平板部２５の後側領域２５ｂの幅方向Ｙの中央部分が接着剤層２９によってシール本体１１に固定されていなければ、平板部２５が平坦な状態に戻った場合でも、シール本体１１の幅方向Ｙの中央部分が平板部２５とともに滑走面３から離間しない。従って、シール本体１１の滑走面３への粘着を維持しやすい。よって、スキーシール１Ｃが滑走面３から剥がれることを防止或いは抑制できる。
【００８９】
また、本例では、後側領域２５ｂは、前端領域２５ａから平板部２５の第１方向Ｙ１の端縁に沿って後方Ｘ２に延びる一方側非接着部４２と、前端領域２５ａから平板部２５の第２方向Ｙ２の端縁に沿って後方Ｘ２に延びる他方側非接着部４３と、備える。そして、後側領域２５ｂの接着部４０は、幅方向Ｙで一方側非接着部４２と他方側非接着部４３との間に位置する。従って、スキー板２の滑走面３コンベックス形状をしている場合に、スキーシール１Ｃが滑走面３から剥がれることを防止或いは抑制できる。すなわち、スキー板２の滑走面３がコンベックス形状をしている場合には、プレート１２の弾性復元力によって平板部２５が平坦な状態に戻ると、平板部２５に固定されたシール本体１１の幅方向Ｙの両端部分が平板部２５とともに滑走面３から離間して、シール本体１１が滑走面３から剥離しやすくなるという問題がある。これに対して、シール本体１１が、幅方向Ｙの両端部分に接着剤層２９によって平板部２５に固定されていない部分（一方側非接着部４２および他方側非接着部４３）を備えれば、平板部２５が平坦な状態に戻った場合でも、シール本体１１の幅方向の両端部分が平板部２５とともに滑走面３から離間しない。従って、シール本体１１の滑走面３への粘着を維持しやすい。よって、スキーシール１Ｃが滑走面から剥がれることを防止或いは抑制できる。
【００９０】
さらに、本例では、リベット３５を先細り部の後端に１つ設けることにより、プレート１２とシール本体１１との固定を確実なものとすることができる。従って、リベット３５の数が少なくて済む。また、リベット３５は、先細り部分３４の後端部分に設けられている。ここで、先細り部分３４の後端部分は、スキーシール１Ｃをスキー板２から剥がす際に負荷がかかる部分なので、このような位置にリベット３５を設ければ、プレート１２がシール本体１１から剥離することを確実に防止できる。また、リベット３５は平板部２５の後端部分に設けられる。従って、スキーシール１Ｃの滑走面３への粘着をリベット３５が妨げたとしても、滑走時にスキーシール1Ｃが前側から剥がれることはない。
【００９１】
なお、スキーシール１Ｃにおいて、第１非接着部４５を省略してもよい。すなわち、後側領域２５ｂにおいて、第１非接着部４５が設けられていた部分に接着剤層２９を設けて、接着部としてもよい。同様に、一方側非接着部４２および他方側非接着部４３を省略してもよい。すなわち、後側領域２５ｂにおいて、一方側非接着部４２および他方側非接着部４３が設けられていた部分に接着剤層２９を設けて、接着部としてもよい。また、第１非接着部４５、一方側非接着部４２および他方側非接着部４３の全てを省略してもよい。すなわち、後側領域２５ｂのシール本体１１の側の全面に接着剤層２９を設けてもよい。
【００９２】
（実施例３の変形例）
図８（ａ）は実施例３の変形例１のスキーシールの説明図であり、図８（ｂ）は実施例３の変形例２のスキーシールの説明図である。図８では、スキーシールの前端部分をシール層１７の側から見た場合を示す。
【００９３】
図８（ａ）に示すように、実施例３の変形例１のスキーシール１Ｄは、実施例３のスキーシール１Ｃのプレート１２において、第１非接着部４５が設けられていた部分に開口部３７を備える。すなわち、プレート１２の後側領域２５ｂは、幅方向Ｙの中央に、開口部３７を備える。開口部３７は全体として、先細り部分３４の形状に対応する三角形形状をしている
【００９４】
本例のスキーシール１Ｄは、開口部３７を備えることにより、後側領域２５ｂが幅方向Ｙの中央部分に第１非接着部４５を備えるものとなる。従って、スキー板２の滑走面３がコンケーブ形状をしている場合に、スキーシール１Ｄが滑走面３から剥がれることを防止或いは抑制できる。また、本例のスキーシール１Ｄは、実施例３のスキーシール１Ｃと同様の作用効果を得ることができる。
【００９５】
なお、スキーシール１Ｄにおいて、一方側非接着部４２および他方側非接着部４３を省略してもよい。すなわち、後側領域２５ｂにおけるシール本体１１の側の全面に接着剤層２９を設けてもよい。
【００９６】
図８（ｂ）に示すように、実施例３の変形例２のスキーシール１Ｅは、プレート１２の平板部２５の全体が、後方Ｘ２に向かって先細りとなっている。すなわち、平板部２５は、第１方向Ｙ１の端縁および他方の端縁が後方Ｘ２に向かって互いに接近する方向に傾斜している。これにより、平板部２５は、全体として、三角形形状である。
【００９７】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って第１方向Ｙ１の端から第２方向Ｙ２の端まで延びる。前端縁１９は幅方向Ｙに一定幅で設けられている。ここで、平板部２５は、第１方向Ｙ１の端縁および他方の端縁が後方Ｘ２に向かって互いに接近する方向に傾斜している。従って、前端領域２５ａは、全体として台形をしている。前端領域２５ａは接着剤層２９を備えておらず、前端領域２５ａはシール本体１１に固定されていない。
【００９８】
後側領域２５ｂは、全体として、三角形形状であり、後方Ｘ２に向かって先細りとなっている。後側領域２５ｂは、接着剤層２９が設けられた接着部４０と、接着剤層２９が設けられていない非接着部４１を備える。非接着部４１は、平板部２５の幅方向Ｙの中央に位置する。非接着部４１の平面形状は、後側領域２５ｂと対応する三角形形状をしている。接着部４０は、非接着部４１を囲んでいる。
【００９９】
本例のスキーシール１Ｅは、平板部２５の後側領域２５ｂの幅方向Ｙの両端部分に非接着部を備えていない。しかし、平板部２５は、第１方向Ｙ１の端縁および他方の端縁が後方Ｘ２に向かって互いに接近する方向に傾斜している。これにより、シール本体１１は、後側領域２５ｂの幅方向Ｙの両側に平板部２５と重ならない露出部分５１を備える。言い換えれば、シール本体１１は、後側領域２５ｂの幅方向Ｙの両側に、接着剤層２９によってプレート１２に固定されていない部分（露出部分５１）を備える。
【０１００】
従って、本例のスキーシール１Ｅにおいても、スキー板２の滑走面３がコンベックス形状をしている場合に、スキーシール１Ｅが滑走面３から剥がれることを防止或いは抑制できる。すなわち、スキー板２の滑走面３がコンベックス形状をしている場合には、プレート１２の弾性復元力によって平板部２５が平坦な状態に戻ると、平板部２５に固定されたシール本体１１の幅方向Ｙの両端部分が平板部２５とともに滑走面３から離間して、シール本体１１が滑走面３から剥離しやすくなるという問題がある。これに対して、シール本体１１が、幅方向Ｙの両端部分に接着剤層２９によって平板部２５に固定されていない部分（露出部分５１）を備えるので、平板部２５が平坦な状態に戻った場合でも、シール本体１１の幅方向の両端部分が平板部２５とともに滑走面３から離間しない。従って、シール本体１１の滑走面３への粘着を維持しやすい。よって、スキーシール１Ｅが滑走面から剥がれることを防止或いは抑制できる。
【０１０１】
また、本例のスキーシール１Ｅによれば、実施例３のスキーシール１Ｃと同様の作用効果を得ることができる。
【０１０２】
（実施例４）
図９（ａ）は、実施例４のスキーシールの前端部分の側面図であり、図９（ｂ）は実施例４のスキーシールの前端部分をシール層の側から見た場合の底面図である。本例のスキーシール１Ｆは、プレート１２の形状が実施例１のスキーシール１と相違する。また、スキーシール１Ｆはプレート１２とシール本体１１とを固定するリベット３５を有する。なお、本例のスキーシール１Ｆの他の構成はスキーシール１と同様である。従って、対応する構成には同一の符号を付してその説明を省略する。
【０１０３】
プレート１２は弾性を備える金属製の板部材である。図９（ａ）に示すように、プレート１２は、シール本体１１の前端部分のシール層１７の側に、固定されている。プレート１２は、シール本体１１の前端縁１９から後方Ｘ２に延びてシール本体１１に固定された平板部２５と、シール本体１１の前端縁１９から前方Ｘ１に突出する突出板部２６とを備える。本例では、シール本体１１の幅方向Ｙの寸法Ｍは１００ｍｍである。プレート１２の幅方向Ｙの寸法Ｎはシール本体１１の幅方向Ｙの寸法Ｍと同一の１００ｍｍである。突出板部２６の前後方向Ｘの長さ寸法Ｑは１０ｍｍであり、シール本体１１の前端縁１９の幅方向Ｙの寸法Ｍの２／３以下である。突出板部２６は、その全体が、平板部２５の前端縁から上側（粘着層１８の側）に湾曲する。言い換えれば、突出板部２６は平板部分２７を備えておらず、その全体が湾曲板部分２８である。突出板部２６の前端の幅方向Ｙの両端部分にはアールが施されている。すなわち、突出板部２６の前端の幅方向Ｙの両端の角部は面取りが施されている。
【０１０４】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って第１方向Ｙ１の端から第２方向Ｙ２の端まで延びる。前端縁１９は幅方向Ｙに一定幅で設けられている。後側領域２５ｂは、プレート１２とシール本体１１とを固定する接着剤層２９を備える。ここで、前端領域２５ａは接着剤層２９を備えておらず、前端領域２５ａはシール本体１１に固定されていない。本例では、平板部２５の前後方向Ｘの長さ寸法Ｒは６５ｍｍである。前端領域２５ａの前後方向Ｘの寸法は１０ｍｍである。従って、後側領域２５ｂの前後方向Ｘの寸法は５５ｍｍである。前端領域２５ａは、平板部２５の前後方向Ｘの長さ寸法Ｒの１／４以下である。
【０１０５】
平板部２５は、突出板部から後方Ｘ２に伸びる平板部本体５５と、平板部本体５５から突出する突出部分５６とを備える。平板部本体５５は、幅方向Ｙに長い長方形形状をしている。突出部分５６は、平板部本体５５の幅方向Ｙの中央部分から後方Ｘ２に突出する。平板部本体５５の前後方向Ｘの寸法は２５ｍｍである。前端領域２５ａは、平板部本体５５の前端の一定幅の領域であり、接着剤層２９が設けられていない領域である。平板部本体５５の接着剤層２９が設けられた領域の後方Ｘ２および突出部分５６は、後側領域２５ｂである。
【０１０６】
ここで、後側領域２５ｂは、接着剤層２９が設けられた接着部４０と、接着剤層２９が設けられていない非接着部４１を備える。非接着部４１は、前端領域２５ａから平板部本体５５の第１方向Ｙ１の端縁に沿って後方Ｘ２に延びる一方側非接着部４２と、前端領域２５ａから平板部本体５５の第２方向Ｙ２の端縁に沿って後方Ｘ２に延びる他方側非接着部４３と、を有する。接着部４０は、幅方向Ｙで一方側非接着部４２と他方側非接着部４３との間に位置する。
【０１０７】
本例においても、スキーシール１Ｆをスキー板２に装着すると、プレート１２は、自己の弾性復元力Ｆによって、突出板部２６の前端縁１２ａを滑走面３に押し付ける。従って、スキーシール１Ｆと滑走面３との間に雪が入ってスキーシール１Ｆがスキー板２から剥がれることを防止あるいは抑制できる。また、プレート１２が弾性を備えるので、スキーシール１Ｆを装着したスキー板２でスキーヤーが滑走したときに、プレート１２の突出板部２６がスキー板２と雪面との間で湾曲して、スキー板２の滑走面３に沿った状態となる。これにより、プレート１２がスキー板２の滑走を妨げることが抑制される。さらに、スキーシール１Ｆは、プレート１２が、スキー板２のエッジ８を下方Ｚ２から被うことがないので、滑走、登高において、スキーヤーのエッジ８のコントロールを阻害することがない。
【０１０８】
また、プレート１２の平板部２５は、その前端領域２５ａが接着剤層２９によってシール本体１１に固定されておらず、後側領域２５ｂのみが接着剤層２９によってシール本体１１に固定されている。従って、雪面の雪Ｓがプレート１２の突出板部２６との間に浸入してしまい、プレート１２が滑走面３から離間する方向に撓んだ場合でも、滑走面３に貼り付けられているシール本体１１の前端縁１９が滑走面３から剥がれることを防止或いは抑制できる。
【０１０９】
さらに、本例では、平板部２５が突出部分５６を備えるので、スキーシール１Ｆをスキー板２から剥がすことが容易である。すなわち、スキーシール１Ｆをスキー板２の滑走面３から剥がす場合には、スキーシール１Ｆを後方Ｘ２から剥離して、前方Ｘ１向かって滑走面３から離間させる。この際に、突出部分５６が滑走面３から離間する方向に撓みやすい。従って、シール本体１１を滑走面３から剥がすことが容易となる。
【０１１０】
また、本例では、スキー板２の滑走面３がコンベックス形状をしている場合に、スキーシール１Ｂが滑走面３から剥がれることを防止或いは抑制できる。すなわち、本例では、平板部２５の後側領域２５ｂの幅方向Ｙの両端部分（一方側非接着部４２および他方側非接着部４３）が接着剤層２９によってシール本体１１に固定されていない。従って、平板部２５が平坦な状態に戻った場合でも、シール本体１１の幅方向Ｙの両端部分が平板部２５とともに滑走面３から離間しない。よって、シール本体１１の滑走面３への粘着を維持しやすい。
【０１１１】
さらに、本例では、リベット３５を突出部分５６の後端に１つ設けることにより、プレート１２とシール本体１１との固定を確実なものとすることができる。従って、リベット３５の数が少なくて済む。また、リベット３５は、突出部分５６に設けられている。ここで、突出部分５６は、スキーシール１Ｃをスキー板２から剥がす際に負荷がかかる部分なので、このような位置にリベット３５を設ければ、プレート１２がシール本体１１から剥離することを確実に防止できる。また、リベット３５は平板部２５の後端部分に設けられる。従って、スキーシール１Ｃの滑走面３への粘着をリベット３５が妨げたとしても、滑走時にスキーシール1Ｃが前側から剥がれることはない。
【０１１２】
（実施例４の変形例）
図１０は実施例４の変形例のスキーシールの説明図である。図１０では、スキーシールの前端部分をシール層１７の側から見た場合を示す。本例のスキーシール１Ｇでは、プレート１２の平板部２５は、第１方向Ｙ１の端縁および他方の端縁が、後方Ｘ２に向かって互いに接近する方向に傾斜している。すなわち、平板部本体５５の幅方向Ｙの両端縁は、後方Ｘ２に向かって互いに接近する方向に傾斜している。スキーシール１Ｇの他の構成は、実施例４のスキーシール１Ｆと同一である。
【０１１３】
本例のスキーシール１Ｇは、平板部２５の後側領域２５ｂの幅方向Ｙの両端部分に非接
着部を備えていない。しかし、平板部２５は、第１方向Ｙ１の端縁および他方の端縁が後方Ｘ２に向かって互いに接近する方向に傾斜している。これにより、シール本体１１は、後側領域２５ｂの幅方向Ｙの両側に平板部２５と重ならない露出部分５１を備える。言い換えれば、シール本体１１は、後側領域２５ｂの幅方向Ｙの両側に、接着剤層２９によってプレート１２に固定されていない部分（露出部分５１）を備える。従って、本例のスキーシール１Ｇにおいても、スキー板２の滑走面３がコンベックス形状をしている場合に、スキーシール１Ｇが滑走面３から剥がれることを防止或いは抑制できる。また、本例のスキーシール１Ｇは、実施例４のスキーシール１Ｆと同様の作用効果を得ることができる。
【０１１４】
（実施例５）
図１１（ａ）は、実施例５のスキーシールの前端部分の側面図であり、図１１（ｂ）は実施例５のスキーシールの前端部分をシール層の側から見た場合の底面図である。図１２は実施例５のスキーシールの説明図である。図１２では、スキーシールの前端部分をシール層１７の側から見た場合を示す。
【０１１５】
本例のスキーシール１Ｈは、プレート１２の形状が上記のスキーシール１と相違する。また、スキーシール１Ｈはプレート１２とシール本体１１とを固定するリベット３５を有する。さらに、本例のスキーシール１Ｈは、前後方向Ｘで２分割されている。なお、本例のスキーシール１Ｈの他の構成は実施例１のスキーシール１と対向する構成を備えるので、対応する構成には同一の符号を付してその説明を省略する。
【０１１６】
プレート１２は弾性を備える金属製の板部材である。図１１（ａ）に示すように、プレート１２は、シール本体１１の前端部分のシール層１７の側に、固定されている。プレート１２は、シール本体１１の前端縁１９から後方Ｘ２に延びてシール本体１１に固定された平板部２５と、シール本体１１の前端縁１９から前方Ｘ１に突出する突出板部２６とを備える。突出板部２６は、その全体が、平板部２５の前端縁から上側（粘着層１８の側）に湾曲する。言い換えれば、突出板部２６は平板部分２７を備えておらず、その全体が湾曲板部分２８である。突出板部２６の前端の幅方向Ｙの両端部分にはアールが施されている。すなわち、突出板部２６の前端の幅方向Ｙの両端の角部は面取りが施されている。
【０１１７】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って第１方向Ｙ１の端から第２方向Ｙ２の端まで延びる。前端縁１９は幅方向Ｙに一定幅で設けられている。後側領域２５ｂは、プレート１２とシール本体１１とを固定する接着剤層２９を備える。ここで、前端領域２５ａは接着剤層２９を備えておらず、前端領域２５ａはシール本体１１に固定されていない。
【０１１８】
平板部２５は、シール本体１１の前端縁１９に沿って一定幅で幅方向Ｙに延びる前側板部分３０と、前側板部分３０の後方Ｘ２に連続して、後方Ｘ２に向かって先細りとなる三角形形状の先細り部分３４と、を備える。前端領域２５ａは、前側板部分３０の前端の一定幅の領域であり、接着剤層２９が設けられていない領域である。後側領域２５ｂは、平板部２５における前端領域２５ａの後側の全領域である。後側領域２５ｂには接着剤層２９が設けられている。後側領域２５ｂの後端部分は、後方Ｘ２に向かって先細りとなっている。リベット３５は、先細り部分３４の後端部分に１つ設けられている。リベット３５は、接着剤層２９とともに、プレート１２とシール本体１１とを固定する。
【０１１９】
ここで、後側領域２５ｂは、接着剤層２９が設けられた接着部４０と、接着剤層２９が設けられていない第１非接着部４５および第２非接着部４６を備える。第１非接着部４５は、平板部２５の幅方向Ｙの中央に位置する。第１非接着部４５の平面形状は全体として
、先細り部分３４の形状に対応する三角形形状をしている。第２非接着部４６は、平板部２５の後端縁２５ｃに沿って第１方向Ｙ１端から他方端まで延びる。第２非接着部４６の前後方向Ｘの幅は、前端領域２５ａの幅よりも広い。第２非接着部４６の第１方向Ｙ１の前端は前端領域２５ａの第１方向Ｙ１の端部分に連続しており、第２非接着部４６の第２方向Ｙ２の前端は前端領域２５ａの第２方向Ｙ２の端部分に連続している。従って、第２非接着部４６は、前端領域２５ａから平板部２５の第１方向Ｙ１の端縁に沿って後方に延びる一方側非接着部４２と、前端領域２５ａから平板部２５の第２方向Ｙ２の端縁に沿って後方Ｘ２に延びる他方側非接着部４３と、を備える。
【０１２０】
接着部４０は、第１非接着部４５と第２非接着部４６との間に位置する。すなわち、接着部４０は、第１非接着部４５を囲んでいる。また、接着部４０は、前端領域２５ａと第２非接着部４６とによって囲まれている。さらに、接着部４０は、幅方向Ｙで一方側非接着部４２と他方側非接着部４３との間に位置する。従って、本例では、平板部２５の幅方向Ｙの両端縁はシール本体１１に固定されていない。また、平板部２５の前後方向Ｘの両端縁はシール本体１１に固定されていない。ここで、リベット３５は、接着部４０と重なる位置に設けられている。
【０１２１】
次に、シール本体１１は、平板部２５と当該シール本体１１とが積層された積層方向から見た場合に、第２非接着部４６と重なる位置で、平板部２５の後端縁２５ｃに沿って前後に２分割されている。これにより、シール本体１１は、プレート１２が固定されたシール本体前側部分６１と、プレート１２が固定されていないシール本体後側部分６２とを備える。また、スキーシール１Ｈは、プレート１２およびシール本体前側部分６１を備える前側シール６３と、シール本体後側部分６２を備え、プレート１２を備えていない後側シール６４とに２分割される。
【０１２２】
ここで、図１２に示すように、シール本体１１を２分割したシール本体後側部分６２の前端縁６２ａ、すなわち、後側シール６４の前端縁６２ａは、幅方向Ｙの中央が後方Ｘ２に窪む略Ｖ字の形状である。一方、シール本体１１を２分割したシール本体前側部分６１の後端縁６１ａは、幅方向Ｙの中央が後方Ｘ２に突出する形状であり、後側シール６４の前端縁６２ａに対応する形状である。なお、本例では、シール本体後側部分６２の幅方向の寸法は、シール本体前側部分６１の幅方向の寸法よりも短い。ここで、シール本体後側部分６２の幅方向の寸法と、シール本体前側部分６１の幅方向の寸法とは同一でもよい。
【０１２３】
スキーシール１Ｈをスキー板２に装着する際には、まず、後側シール６４をスキー板２のスキーセンター部５の滑走面３に貼り付ける。次に、前側シール６３を、後側シール６４の前方Ｘ１に貼り付ける。この際に、前側シール６３のシール本体前側部分６１と、後側シール６４（シール本体後側部分６２）との間に、隙間が形成されないようにする。これにより、後側シール６４（シール本体後側部分６２）の前端縁６２ａを、プレート１２の平板部２５の後端部分（第２非接着部４６）によって滑走面３とは反対側から覆う。
【０１２４】
本例によれば、実施例３のスキーシール１Ｃと同様の作用効果を得ることができる。
【０１２５】
また、本例によれば、スキーシール１Ｈを、プレート１２を備える前側シール６３と、プレート１２を備えていない後側シール６４とに２分割できる。よって、スキーシール１Ｈに劣化や破損が生じた場合には、前側シール６３および後側シール６４を別々に交換できる。
【０１２６】
さらに、本例では、スキーシール１Ｈをスキー板２に装着した状態では、後側シール６４（シール本体後側部分６２）の前端縁６２ａが、プレート１２の平板部２５の後端部分（第２非接着部４６）によって滑走面３とは反対側から覆われる。従って、２分割された
スキーシール１Ｈを装着したスキー板２でスキーヤーが滑走した場合でも、後側シール６４が剥がれることを防止できる。
【０１２７】
（実施例５の変形例）
図１３は、実施例５の変形例のスキーシールの説明図である。図１３では、スキーシールの前端部分をシール層１７の側から見た場合を示す。本例のスキーシール１Ｉは、スキーシール１Ｈと対応する構成を備える。従って、対向する構成には同一の符号を付して、その説明を省略する。
【０１２８】
本例のスキーシール１Ｉは、スキーシール１Ｈにおいて、前側シール６３のシール本体前側部分６１を、滑走面３に着脱可能に貼り付けられる粘着層を備える基布７０に替えたものである。従って、スキーシール１Ｈの後側シール６４（シール本体後側部分６２）のみがシール本体１１となる。
【０１２９】
これにより、スキーシール１Ｉは、図１３に示すように、シール本体１１と、滑走面３におけるシール本体１１の前方に貼り付けられる基布７０と、弾性を備え、基布７０の粘着層とは反対側に固定されたプレート１２と、を有する。
【０１３０】
また、プレート１２は、基布７０の前端縁７０ａから後方Ｘ２に延びて基布７０と重なる平板部２５と、基布７０の前端縁７０ａから前方Ｘ１に突出する突出板部２６と、基布７０の後端縁７０ｂから後方Ｘ２に突出する第２の突出板部７１と、を備える。
【０１３１】
突出板部２６は、その全体が、平板部２５の前端縁から上側（粘着層１８の側）に湾曲する。第２の突出板部７１は、スキーシール１Ｈにおいては、プレート１２における第２非接着部４６の後側部分である。第２の突出板部７１は、基布７０の後端縁７０ｂに沿って幅方向Ｙの第１方向Ｙ１の端から第２方向Ｙ２の端まで延びる。
【０１３２】
平板部２５は、当該平板部２５の前端で基布７０の前端縁７０ａに沿って幅方向Ｙに延びる前端領域２５ａと、前端領域２５ａよりも後方Ｘ２で前端領域２５ａよりも広い後側領域２５ｂと、を有する。また、平板部２５は、基布７０の前端縁７０ａに沿って一定幅で幅方向Ｙに延びる前側板部分３０と、前側板部分３０の後方Ｘ２に連続して、後方Ｘ２に向かって先細りとなる三角形形状の先細り部分３４と、を備える。前端領域２５ａは、前側板部分３０の前端の一定幅の領域であり、接着剤層２９が設けられていない領域である。後側領域２５ｂは、接着剤層２９が設けられた接着部４０と、接着剤層２９が設けられていない第１非接着部４５および第２非接着部４６を備える。リベット３５は、接着部４０と重なる位置に設けられている。
【０１３３】
ここで、本例のスキーシール１Ｉは、シール本体１１および基布７０を滑走面３に貼り付けたときに、プレート１２の第２の突出板部７１が、シール本体１１の前端縁１１ａを粘着層とは反対側から覆う。また、突出板部２６は、その前端縁１２ａが滑走面３当接して当該滑走面３から離間する方向に撓み、プレート１２は、自己の弾性復元力によって、突出板部２６の前端縁１２ａを滑走面３に押し付ける。
【０１３４】
本例の本例のスキーシール１Ｉにおいても、スキーシール１Ｈと同様の作用効果を得ることができる。
【０１３５】
（実施例６）
図１４は、実施例６のスキーシールの説明図である。図１４では、スキーシールの前端部分をシール層１７の側から見た場合を示す。本例のスキーシール１Ｊは、実施例３のスキーシール１Ｃと対応する形状のプレート１２を備えるが、シール本体１１の形状がスキ
ーシール１Ｃと相違する。なお、本例のスキーシール１Ｊにおいて、スキーシール１Ｃと対応する構成には同一の符号を付してその説明を省略する。
【０１３６】
プレート１２は弾性を備える金属製の板部材である。プレート１２は、シール本体１１の前端縁１９から後方Ｘ２に延びてシール本体１１に固定された平板部２５と、シール本体１１の前端縁１９から前方Ｘ１に突出する突出板部２６とを備える。突出板部２６は、その全体が、平板部２５の前端縁から上側（粘着層１８の側）に湾曲する。言い換えれば、突出板部２６は平板部分２７を備えておらず、その全体が湾曲板部分２８である。突出板部２６の前端の幅方向Ｙの両端部分にはアールが施されている。すなわち、突出板部２６の前端の幅方向Ｙの両端の角部は面取りが施されている。
【０１３７】
平板部２５は、当該平板部２５の前端でシール本体１１の前端縁１９に沿って幅方向Ｙに延びる前端領域２５ａと、前端領域２５ａよりも後方Ｘ２で前端領域２５ａよりも広い後側領域２５ｂと、を有する。前端領域２５ａは、平板部２５の前端でシール本体１１の前端縁１９に沿って第１方向Ｙ１の端から第２方向Ｙ２の端まで延びる。前端縁１９は幅方向Ｙに一定幅で設けられている。後側領域２５ｂは、プレート１２とシール本体１１とを固定する接着剤層２９を備える。前端領域２５ａは接着剤層２９を備えておらず、前端領域２５ａはシール本体１１に固定されていない。
【０１３８】
平板部２５は、シール本体１１の前端縁１９に沿って一定幅で幅方向Ｙに延びる前側板部分３０と、前側板部分３０の後方Ｘ２に連続して、後方Ｘ２に向かって先細りとなる三角形形状の先細り部分３４と、を備える。前端領域２５ａは、前側板部分３０の前端の一定幅の領域であり、接着剤層２９が設けられていない領域である。後側領域２５ｂは、平板部２５における前端領域２５ａの後側の全領域である。後側領域２５ｂには接着剤層２９が設けられている。後側領域２５ｂの後端部分は、後方Ｘ２に向かって先細りとなっている。リベット３５は、先細り部分３４の後端部分に１つ設けられている。リベット３５は、接着剤層２９とともに、プレート１２とシール本体１１とを固定する。
【０１３９】
ここで、後側領域２５ｂは、接着剤層２９が設けられた接着部４０と、接着剤層２９が設けられていない非接着部４１を備える。非接着部４１は、平板部２５の幅方向Ｙの中央に位置する。非接着部４１の平面形状は全体として、先細り部分３４の形状に対応する三角形形状をしている。接着部４０は、非接着部４１を囲んでいる。本例では、接着部４０は、後側領域２５ｂにおける非接着部４１の外周側の全領域に設けられている。
【０１４０】
一方、シール本体１１は、平板部２５の前端領域２５ａと重なる長方形の前端部６５と、前端部６５の後端から後方Ｘ２に向かって幅方向Ｙの両側に広がる広がり部６６と、広がり部６６の後端から後方Ｘ２に延びる延設部６７と、を備える。平板部２５とシール本体１１との積層方向を平板部２５の側から見た場合に、前端部６５は平板部２５から露出していない。広がり部６６は、第１方向Ｙ１の端部分が後側領域２５ｂの第１方向Ｙ１で平板部２５から露出する露出部分５１となっている。また、広がり部６６は、第２方向Ｙ２の端部分が後側領域２５ｂの第２方向Ｙ２で平板部２５から露出する露出部分５１となっている。
【０１４１】
本例では、平板部２５の後側領域２５ｂの幅方向Ｙの両端部分に非接着部を備えていない。しかし、シール本体１１は、後側領域２５ｂの幅方向Ｙの両側に平板部２５と重ならない露出部分５１を備える。言い換えれば、シール本体１１は、後側領域２５ｂの幅方向Ｙの両側に、接着剤層２９によってプレート１２に固定されていない部分（露出部分５１）を備える。従って、本例のスキーシール１Ｊにおいても、スキー板２の滑走面３がコンベックス形状をしている場合に、スキーシール１Ｊが滑走面３から剥がれることを防止或いは抑制できる。
【０１４２】
ここで、広がり部６６は、前端部６５の後端から後方Ｘ２に向かって幅方向Ｙの両側に広がっている。従って、広がり部６６の第１方向Ｙ１の端縁（第１方向Ｙ１の側の露出部分５１の端縁）は、後方Ｘ２に向かって平板部２５から離間する方向に傾斜する。同様に、広がり部６６の第２方向Ｙ２の端縁（第２方向Ｙ２の側の露出部分５１の端縁）は、後方Ｘ２に向かって平板部２５から離間する方向に傾斜する。従って、シール本体１１が、平板部２５の幅方向Ｙの両側に平板部２５から露出する露出部分５１を備えていても、滑走時に、平板部２５から露出している露出部分５１が滑走面３から剥がれることを抑制できる。
【０１４３】
また、本例のスキーシール１Ｊは、実施例３のスキーシール１Ｃと同様の作用効果を得ることができる。
【０１４４】
（その他の実施の形態）
なお、シール本体１１（芯材１５）の幅方向Ｙの両側の縁は、貼り付け対象のスキー板２のスキーセンター部５の平面形状に合わせてトリミングされていてもよい。すなわち、シール本体１１は、前後方向Ｘの中央の幅が前端の幅および後端の幅に対して狭いサイドカット形状を備え、幅方向Ｙの両側の縁が、前後方向Ｘの中央に向かって内側に湾曲しているものとすることもできる。
【０１４５】
また、プレート１２は、銅製、アルミ製、或いは、ステンレス鋼製などとしてもよい。さらに、プレート１２は樹脂製とすることもできる。
【０１４６】
なお、プレート１２の平板部２５に設けた切欠き部３３や、開口部３７は省略できる。またプレート１２の表面の樹脂コーティング層を省略してもよい。また、平板部２５の全面に接着剤層２９を設け、前端領域２５ａを省略してもよい。
【符号の説明】
【０１４７】
１、１Ａ〜１Ｊ…スキーシール、２…スキー板、３…滑走面、４…ビンディング、５…スキーセンター部、６…スキートップ部、７…スキーテール部、８…エッジ、１０…隙間、１１…シール本体、１２…プレート、１２ａ…前端縁、１５…芯材、１６…繊維、１７…シール層、１８…粘着層、１９…前端縁、２０…後端縁、２５…平板部、２５ａ…前端領域、２５ｂ…後側領域、２５ｃ…後端縁、２６…突出板部、２７…平板部分、２８…湾曲板部分、２９…接着剤層、３０…前側板部分、３１…第１延設板部分、３２…第２延設板部分、３３…切欠き部、３４…先細り部分、３５…リベット、３７…開口部、４０…接着部、４１…非接着部、４２…一方側非接着部、４３…他方側非接着部、４５…第１非接着部、４６…第２非接着部、５１…露出部分、５５…平板部本体、５６…突出部分、６１…シール本体前側部分、６１ａ…シール本体前側部分の後端縁、６２…シール本体後側部分、６２ａ…シール本体後側部分の前端縁、６３…前側シール、６４…後側シール、６５…前端部、６６…広がり部、６７…延設部、６９…露出部分、７０…基布、７０ａ…基布の前端縁、７０ｂ…基布の後端縁、７１…プレートの第２の突出板部、Ｄ…滑走方向、Ｘ…前後方向、Ｙ…幅方向、Ｚ…上下方向
【図１】
2019115659.tif 000003
【図２】
2019115659.tif 000004
【図３】
2019115659.tif 000005
【図４】
2019115659.tif 000006
【図５】
2019115659.tif 000007
【図６】
2019115659.tif 000008
【図７】
2019115659.tif 000009
【図８】
2019115659.tif 000010
【図９】
2019115659.tif 000011
【図１０】
2019115659.tif 000012
【図１１】
2019115659.tif 000013
【図１２】
2019115659.tif 000014
【図１３】
2019115659.tif 000015
【図１４】
2019115659.tif 000016